(57)【要約】【課題】顧客のアルバムプリント注文操作において、注文者が画像の選択と共にアルバムのページ総数を選択可能としたプリント注文受付装置を提供することにある。【解決手段】アルバムプリント注文受付装置であって、アルバムプリント対象の画像の選択を受け付ける画像選択受付手段と、アルバムプリントのページ総数の種類を作成するページ総数種類作成手段と、前記ページ総数の種類に応じた、アルバムプリントの作成費用を作成する費用作成手段と、表示手段に表示された、前記作成されたページ総数の種類と、作成費用とに基づいて、いずれかのページ総数の選択を受け付けるページ総数選択受付手段と、前記受け付けられた画像と、前記ページ総数に基づいて、それぞれのページ内の画像レイアウトを設定するレイアウト設定手段と、を有する構成である。【選択図】図４
2010108165.tif 000002
【特許請求の範囲】
【請求項１】
顧客のアルバムプリント注文操作に用いられるアルバムプリント注文受付装置であって、
アルバムプリント対象の画像の選択を受け付ける画像選択受付手段と、
ページ総数の入力を受け付けるページ総数選択受付手段と、
前記画像選択受付手段で受け付けられた画像と、前記ページ総数選択受付手段で受け付けられたページ総数に基づいて、それぞれのページ内の画像レイアウトを設定するレイアウト設定手段と、を有するアルバムプリント注文受付装置。
【請求項２】
アルバムプリントのページ総数の種類を作成するページ総数種類作成手段と、
前記作成されたページ総数の種類に応じた、アルバムプリントの作成費用を作成する費用作成手段と、をさらに有し、
前記ページ総数選択受付手段は、表示手段に表示された、前記作成されたページ総数の種類と、当該ページ総数の種類に応じた作成費用とに基づいて、いずれかのページ総数の選択を受け付け可能に構成した請求項１に記載のアルバムプリント注文受付装置。
【請求項３】
前記画像選択受付手段による処理の後で、アルバムサイズの選択を受け付けるアルバムサイズ選択受付手段を、さらに有し、
前記レイアウト設定手段が、前記アルバムサイズ選択受付手段で受け付けられたアルバムサイズに応じて予め設定されている１ページに掲載される最大画像数と、前記ページ総数選択受付手段で受け付けられたページ総数に基づいて、それぞれのページ内の画像レイアウトを設定することを特徴とする請求項１または２に記載のアルバムプリント注文受付装置。
【請求項４】
前記ページ総数種類作成手段が、前記画像選択受付手段で受け付けられた画像に基づいて、当該画像の総数以上のアルバムプリント可能なページ総数の種類を作成し、
前記表示手段に表示されたアルバムプリント可能なページ総数の種類が、アルバム作成可能な最低ページ数以上の種類と、前記ページ総数種類作成手段で作成された前記画像の総数以上の種類を、少なくとも含むことを特徴とする請求項１から３のいずれかに記載のアルバムプリント注文受付装置。
【請求項５】
顧客のアルバムプリント注文操作に用いられるアルバムプリント注文受付プログラムであって、
アルバムプリント対象の画像の選択を受け付ける画像選択受付ステップと、
ページ総数の入力を受け付けるページ総数選択受付ステップと、
前記画像選択受付ステップで受け付けられた画像と、前記ページ総数選択受付ステップで受け付けられたページ総数に基づいて、それぞれのページ内の画像レイアウトを設定するレイアウト設定ステップと、をコンピュータに実行させるためのアルバムプリント注文受付プログラム。
【請求項６】
アルバムプリントのページ総数の種類を作成するページ総数種類作成ステップと、
前記作成されたページ総数の種類に応じた、アルバムプリントの作成費用を作成する費用作成ステップと、
前記作成されたページ総数の種類と、当該ページ総数の種類に応じた作成費用を表示手段に表示するステップと、をさらにコンピュータに実行させ、
前記ページ総数選択受付ステップにおいて、表示手段に表示された、前記作成されたページ総数の種類と、当該ページ総数の種類に応じた作成費用とに基づいて、いずれかのページ総数の選択を受け付けるように、コンピュータに実行させることを特徴とする請求項５に記載のアルバムプリント注文受付プログラム。
【請求項７】
前記画像選択受付ステップによる処理の後で、アルバムサイズの選択を受け付けるアルバムサイズ選択受付ステップを、さらにコンピュータに実行させ、
前記レイアウト設定ステップにおいて、前記アルバムサイズ選択受付ステップで受け付けられたアルバムサイズに応じて予め設定されている１ページに掲載される最大画像数と、前記ページ総数選択受付ステップで受け付けられたページ総数に基づいて、それぞれのページ内の画像レイアウトを設定するように、コンピュータに実行させることを特徴とする請求項５または６に記載のアルバムプリント注文受付プログラム。
【請求項８】
前記ページ総数種類作成ステップにおいて、前記画像選択受付ステップで受け付けられた画像に基づいて、当該画像の総数以上のアルバムプリント可能なページ総数の種類を作成するように、コンピュータに実行させ、
前記表示手段に表示されたアルバムプリント可能なページ総数の種類が、アルバム作成可能な最低ページ数以上の種類と、前記ページ総数種類作成ステップで作成された前記画像の総数以上の種類を、少なくとも含むことを特徴とする請求項５から７のいずれかに記載のアルバムプリント注文受付プログラム。
【発明の詳細な説明】
【技術分野】
【０００１】
本発明は、顧客のアルバムプリント注文操作に用いられるアルバムプリント注文受付装置、およびアルバムプリント注文受付プログラムに関する。
【背景技術】
【０００２】
写真店（ミニラボ店とも称される。）では、顧客がデジタル画像データを持ち込み、店内に設置された受付装置で顧客自らが写真プリントの注文を行なえる。この受付装置として、例えば特許文献１が知られている。
【０００３】
この受付装置における注文操作は、先ず、デジタル画像データが記憶されたメディアからデジタル画像データを読み込み、コマ画像として表示させ、次いで、プリント対象を選択し、プリント枚数、プリントサイズ、所定の補正処理等を選択し、注文を確定する流れである。写真プリントの仕上がりタイプも選択可能であり、このタイプとしては、コマ画像ごとに１枚の写真を形成するタイプや、複数のコマ画像を１枚の写真に配置したインデックスプリントや、最終的にアルバム編集されるためにプリントされるアルバムプリントと称されるタイプもある。
【特許文献１】特開２００６−１０３１００号公報
【発明の開示】
【発明が解決しようとする課題】
【０００４】
上述のアルバムプリントの注文操作は、ほかのプリントタイプと異なり、顧客が画像選択やその編集、ページのレイアウトに多くの時間をかける傾向があるため、受付装置の占有操作時間が長くなり、使用回転率が悪化するという問題がある。特に、アルバムプリントの注文操作に、Ｌ判プリントの注文にはない、画像のレイアウト設定や画像編集機能が具備されていると、受付装置の占有時間は益々長くなる。
【０００５】
その一方で、画像のレイアウト設定や画像の編集機能等は、高度な機能であり、顧客によっては複雑で分かり難い操作であることや、不要な機能として省略されることも予測される。そして、注文操作の複雑さ等から、顧客が店員に問い合わせを行うことも予測され、このような注文操作の複雑さによる顧客満足度の低下や、店員の作業性の低下の恐れもある。
【０００６】
また、従来のアルバムプリントの注文方法において、アルバム製本機や写真店のプリント作業の都合によって、アルバムのページ数が予め設定されていた。例えば、製本タイプのアルバムであれば、製本機にかかる厚みのページ数として、例えば５枚以上５０枚以下というように設定されていた。また、写真店の作業効率からすれば、なるべくページ数が多い方が好ましいため、アルバムページ数として、２０ページ、３０ページ、４０ページというように１０ページ単位に注文されるように設定されたり、画像コマ数を選択した後で、装置側によって自動的にページ数が決定されたりする場合が多かった。そして、ページ数に応じて、アルバム作成費用が決定されているため、注文確定した後でなければ、アルバム作成費用を知ることができなかった。仮に、この費用が予想していた以上に高額であれば、注文をキャンセルする恐れもあり、かかる場合において、注文者は、店員に直接キャンセルの旨を伝える必要があった。
【０００７】
すなわち、注文者側からすれば、画像選択と共に、アルバムページ数を注文者側が注文時に決定したい場合があり、さらには、ページ数によって変動する費用に応じてページ数を選択したいという要望がある。
【０００８】
そこで、本発明は、上記実情に鑑みてなされたものであり、その目的は、顧客のアルバムプリント注文操作において、注文者が画像の選択と共にアルバムのページ総数を選択可能としたプリント注文受付装置およびアルバムプリント注文受付プログラムを提供することにある。
【課題を解決するための手段】
【０００９】
上記課題を解決するため本発明に係るアルバムプリント注文受付装置は、
顧客のアルバムプリント注文操作に用いられるアルバムプリント注文受付装置であって、
アルバムプリント対象の画像の選択を受け付ける画像選択受付手段と、
ページ総数の入力を受け付けるページ総数選択受付手段と、
前記画像選択受付手段で受け付けられた画像と、前記ページ総数選択受付手段で受け付けられたページ総数に基づいて、それぞれのページ内の画像レイアウトを設定するレイアウト設定手段と、を有する構成である。
【００１０】
この構成による作用効果は以下の通りである。画像選択受付手段は、アルバムプリント対象の画像の選択を受け付ける。画像は、表示手段に表示され、注文者が選択する構成である。そして、ページ総数の入力が受け付けられる構成である。注文者は、例えば、受付装置に並置された価格表（中ページ１枚あたりの費用、表紙の費用、ページ枚数当たりの費用、２０枚とか３０枚等のアルバムセット価格の費用等）を参照して、ページ総数を入力することができ、注文にかかる費用を予め計算しながら注文を行える。そして、レイアウト設定手段は、画像選択受付手段で受け付けられた画像と、前記ページ総数選択受付手段で受け付けられたページ総数に基づいて、それぞれのページ内の画像レイアウトを設定する。設定されたレイアウトに基づいて、各ページにコマ画像が配置されることになる。以上から、本アルバムプリント注文受付装置によれば、注文者が、画像選択と共に、作成費用を考慮しながらアルバムページ総数を選択できるため、注文確定後にキャンセルすることがなくなり、無駄な注文がなくなり、注文者の注文操作の短縮化および注文回転率が向上し、顧客満足度を向上させることができる。
【００１１】
「レイアウト」は、ページ総数、１ページあたりの画像数、コマ画像のサイズ、ページに対する位置関係も含む概念である。このプリント注文受付装置は、アルバムプリントの注文操作以外に、他の注文操作も行え、例えば、Ｌ版等の通常写真プリント、インデックスプリント、ＣＤ等への書き込み等の注文を受け付けることができる。
【００１２】
また、上記の本発明において、
アルバムプリントのページ総数の種類を作成するページ総数種類作成手段と、
前記作成されたページ総数の種類に応じた、アルバムプリントの作成費用を作成する費用作成手段と、をさらに有し、
前記ページ総数選択受付手段は、表示手段に表示された、前記作成されたページ総数の種類と、当該ページ総数の種類に応じた作成費用とに基づいて、いずれかのページ総数の選択を受け付け可能に構成する。
【００１３】
この構成によれば、ページ総数種類作成手段は、アルバムプリントのページ総数の種類を作成する。「ページ総数の種類」は、例えば、選択された画像の総数から、予め設定された条件に基づいて作成することができる。アルバム製本タイプ（片面印刷）の場合には、条件として「表紙ページ＋目次ページ＋裏表紙ページ＋１ページ当たりの掲載画像数」に基づいて、その種類を作成することができる。例えば、選択された画像数が２０枚の場合に、ページの種類としては、例えば、第１に「表紙ページ＋目次ページ＋裏表紙ページ＋２０」、第２に「表紙ページ＋裏表紙ページ＋２０（１ページに１コマ掲載）」、第３に「表紙ページ＋目次ページ＋裏表紙ページ＋１０（１ページに２コマ掲載）」等その他の種類を任意に作成できる。
【００１４】
そして、費用作成手段は、作成されたページ総数の種類に応じた、アルバムプリントの作成費用を作成する。ページ総数の種類と、当該ページ総数の種類に応じた作成費用は、表示手段に表示され、注文者が、ページ総数選択受付手段によって、作成されたページ総数の種類と、当該ページ総数の種類に応じた作成費用とに基づいて、いずれかのページ総数を選択し、受け付けられる構成である。よって、自動的にページ総数の種類によって作成費用が計算されるため、注文者が作成費用を計算する必要がなく、注文者の労力を軽減させ、注文内容（ページ数、表紙の有無等）およびその費用を納得して注文できるため、途中でキャンセルすることがなく、顧客満足度を向上することができる。
【００１５】
また、上記の本発明において、前記画像選択受付手段による処理の後で、アルバムサイズの選択を受け付けるアルバムサイズ選択受付手段を、さらに有し、
前記レイアウト設定手段が、前記アルバムサイズ選択受付手段で受け付けられたアルバムサイズに応じて予め設定されている１ページに掲載される最大画像数と、前記ページ総数選択受付手段で受け付けられたページ総数に基づいて、それぞれのページ内の画像レイアウトを設定することを特徴とする構成である。
【００１６】
この構成によれば、アルバムサイズ選択受付手段が、画像選択受付手段による処理の後に、アルバムサイズの選択を受け付ける。アルバムサイズによって、１ページに掲載可能な最大画像数（コマ数）、コマサイズが予め設定されている。例えば、第１アルバムサイズ（縦８インチ×横１０インチ）の場合、１ページあたり掲載コマ数は２以内、コマサイズはＥ判かＬ判と設定される。また、例えば、見開き２ページに１コマを掲載する設定もできる。そして、レイアウト設定手段が、アルバムサイズ選択受付手段で受け付けられたアルバムサイズに応じて予め設定されている１ページに掲載される最大画像数と、ページ総数選択受付手段で受け付けられたページ総数に基づいて、それぞれのページ内の画像レイアウトを設定することができる。
【００１７】
また、上記の本発明において、前記ページ総数種類作成手段が、前記画像選択受付手段で受け付けられた画像に基づいて、当該画像の総数以上のアルバムプリント可能なページ総数の種類を作成し、
前記表示手段に表示されたアルバムプリント可能なページ総数の種類が、アルバム作成可能な最低ページ数以上の種類と、前記ページ総数種類作成手段で作成された前記画像の総数以上の種類を、少なくとも含むことを特徴とする構成である。
【００１８】
この構成によれば、ページ総数種類作成手段が、画像選択受付手段で受け付けられた画像に基づいて、当該画像の総数以上のアルバムプリント可能なページ総数の種類を作成する。上述したように、例えば、選択された画像の総数から、予め設定された条件に基づいて作成することができる。アルバム製本タイプ（片面印刷）の場合には、条件として「表紙ページ＋目次ページ＋裏表紙ページ＋１ページ当たりの掲載画像数＋α（イラストページ、モメページ等）」に基づいて、その種類を作成することができる。そして、表示手段には、複数のアルバムプリント可能なページ総数の種類が表示され、その中には、アルバム作成可能な最低ページ数以上の種類と、ページ総数種類作成手段で作成された前記画像の総数以上の種類が、少なくとも含まれている。
【００１９】
また、他の本発明は、
顧客のアルバムプリント注文操作に用いられるアルバムプリント注文受付プログラムであって、
アルバムプリント対象の画像の選択を受け付ける画像選択受付ステップと、
ページ総数の入力を受け付けるページ総数選択受付ステップと、
前記画像選択受付ステップで受け付けられた画像と、前記ページ総数選択受付ステップで受け付けられたページ総数に基づいて、それぞれのページ内の画像レイアウトを設定するレイアウト設定ステップと、をコンピュータに実行させるためのアルバムプリント注文受付プログラムである。
【００２０】
また、上記の本発明において、
アルバムプリントのページ総数の種類を作成するページ総数種類作成ステップと、
前記作成されたページ総数の種類に応じた、アルバムプリントの作成費用を作成する費用作成ステップと、
前記作成されたページ総数の種類と、当該ページ総数の種類に応じた作成費用を表示手段に表示するステップと、をさらにコンピュータに実行させ、
前記ページ総数選択受付ステップにおいて、表示手段に表示された、前記作成されたページ総数の種類と、当該ページ総数の種類に応じた作成費用とに基づいて、いずれかのページ総数の選択を受け付けるように、コンピュータに実行させることを特徴とする。
【００２１】
また、上記の本発明において、前記画像選択受付ステップによる処理の後で、アルバムサイズの選択を受け付けるアルバムサイズ選択受付ステップを、さらにコンピュータに実行させ、
前記レイアウト設定ステップにおいて、前記アルバムサイズ選択受付ステップで受け付けられたアルバムサイズに応じて予め設定されている１ページに掲載される最大画像数と、前記ページ総数選択受付ステップで受け付けられたページ総数に基づいて、それぞれのページ内の画像レイアウトを設定するように、コンピュータに実行させることを特徴とする。
【００２２】
また、上記の本発明において、前記ページ総数種類作成ステップにおいて、前記画像選択受付ステップで受け付けられた画像に基づいて、当該画像の総数以上のアルバムプリント可能なページ総数の種類を作成するように、コンピュータに実行させ、
前記表示手段に表示されたアルバムプリント可能なページ総数の種類が、アルバム作成可能な最低ページ数以上の種類と、前記ページ総数種類作成ステップで作成された前記画像の総数以上の種類を、少なくとも含むことを特徴とする。
【００２３】
これらのプログラムの構成の作用効果は上述のアルバムプリント注文受付装置の作用効果と同様である。
【００２４】
本発明において、「オーダー」は、写真プリントを作成する場合の注文単位である。「１オーダ」は、フィルム１本分あるいは複数本分、記録メディア１個分あるいは複数個分、画像データフォルダ１個分あるいは複数個分についてのプリント注文に係る画像データ群を指すものであるが、これに限定されるものではなく、１オーダーの概念はオペレータ、注文者により適宜設定することができる。以下、同様である。
【発明を実施するための最良の形態】
【００２５】
（実態形態１）
本発明に係るアルバムプリント注文受付装置の好適な実施形態を、図面を用いて説明する。図１は、写真店に設置される写真処理システムの構成の一例を示している。プリンタの種類、設置台数は図1に限定されない。また、画像処理装置４、プリント注文受付装置（アルバムプリント注文受付装置に相当する）１の設置台数も図1に限定されない。写真処理システムを構成するそれぞれの装置はお互いがLAN等のネットワークによって接続されている。
【００２６】
＜システムの構成＞
この写真処理システムは、写真プリントの作成や記憶媒体への画像書き込みといった画像記録を行うためのシステムである。写真プリントの注文に係る画像データは、顧客が自ら持参した記録メディアに記録されている。顧客は、プリント注文受付装置１を操作し、記録メディアに記録された画像データに基づく写真プリントの注文を行なえる。また、注文に係る画像データは、ネガフィルムからスキャナー（不図示）を用いて読みとることもできる。また、注文者が自宅のPCや携帯端末からインターネットを経由し、写真店のサーバにアクセスし注文する、いわゆるオンラインプリント注文も可能である。オンラインプリント注文は公知の構成であり詳細な説明は省略する。
【００２７】
銀塩式プリンタは、画像データに基づいて写真プリントの作成を行える。写真プリントの作成を行う場合は、プリント用に処理された画像データを露光エンジンに送信し、ペーパー等の写真感光材料に画像を焼付露光する。画像が焼付露光されたペーパーを現像処理することで、写真プリントを作成することができる。
【００２８】
また、不図示の媒体書き込み装置は、ＣＤ−Ｒ（記憶媒体の一例）等の記録メディアに画像データの書き込みを行う機能を有する。画像処理装置４から画像データを媒体書き込み装置に送信することで、ＣＤ−Ｒ等の記録メディアに画像データを書き込むことができる。
【００２９】
（インクジェットプリンタ）
インクジェットプリンタ３の主要機能について説明する。インクジェットプリンタ３は、各種データ通信のための通信部（不図示）を備える。この通信部は、画像処理装置４からプリント用画像データを受信し、不図示のメモリに保存する。また、インクジェットプリンタ３は、情報処理装置を備えている。情報処理装置はインクジェットプリンタ３に組み込まれていてもよく、別体として切り離せる構成でもよい。情報処理装置としてはパーソナルコンピュータが例示される。
【００３０】
インクジェットプリンタ３は、ＲＩＰ処理部（不図示）を有し、このＲＩＰ処理部はＲＩＰ処理を実行する機能である。ＲＩＰ処理部は、写真プリント処理に係るＲＧＢ画像データのプリント用画像データを、ＲＩＰ処理し、ＣＭＹＫごとのグレースケールデータに展開する。ここでのＲＩＰ処理部は、ソフトウエアプログラムと上述の情報処理装置のハードウェア資源（ＣＰＵ、メモリ等）との協働作用で構成される。
【００３１】
図３にインクジェットプリンタ３の構成の概要を示す。このインクジェットプリンタ３のプリント処理は以下の流れである。用紙ストック部３０に枚葉の用紙Ｐ（インクジェット用紙）がストックされ、用紙送り機構によって用紙Ｐが１枚づつ下流側に搬送される構成である。搬送された用紙Ｐは、図面上、下側の印刷部（不図示）の吸引部３２によって吸引されて一次保持される。印刷部は、ＣＭＹＫごとのグレースケールデータに基づいて印刷処理する。印刷部は、ＣＭＹＫのそれぞれのプリントヘッド３１を備えている。プリントヘッド３１は、間欠搬送される用紙Ｐに対し、プリントヘッド３１が主走査方向に一走査し、この走査時に、各色のインク吐出ノズルからインクが吐出し、用紙Ｐの表面に付着する。この間欠搬送、主走査動作およびインク吐出動作を繰り返すことで、用紙Ｐの印刷領域に画像が形成される。画像形成するためのデータ（ＣＭＹＫごとのグレースケールデータ）により、各インク吐出ノズルからの吐出量、吐出座標が算出される。この吐出量、吐出座標に基づいてインク吐出ノズルが制御される。インク吐出の方法としては、インクが充填された圧力室内の容積がピエゾ素子によって変化することで、圧力室に連通するインク吐出ノズルからインクを吐出する一般的なピエゾ方式が例示される。これらの制御手段は、ＣＰＵ（ＭＰＵを含む）、メモリ、バス等のハードウェアと、各種制御手順を記述したプログラムソフトウエアとで構成してもよく、専用回路、ファームウエア等の組合せによって構成してもよい。
【００３２】
プリントヘッド３１は、その底面に多数のインク吐出ノズルが設けられたヘッドユニットが副走査方向に２段に並んで配置されている構成であってもよく、１段や３段以上の構成でもよい。例えば、ヘッドユニットは７つのノズルアレイから構成され、各ノズルアレイにおいて、インク吐出ノズルが副走査方向に列状に配置される。これによって、各ヘッドユニットはそれ単体でカラー画像を形成することが可能である。
【００３３】
次いで、画像形成された用紙Ｐは、切断部３３に搬送される。片面印刷の場合に、切断部３３（例えば、回転刃）は、用紙幅方向に移動することで、用紙Ｐ中の不必要部分を切断する。なお、両面印刷の場合は、両面印刷終了後に切断処理を実行してもよい。次いで、片面印刷の場合、用紙Ｐの裏面に、裏印字手段（不図示）によって識別番号、コマ番号、日付等の情報が印刷される。なおこの裏印字処理は任意の処理である。次いで、搬送下流側の乾燥手段３４によって、用紙Ｐの画像形成面を乾燥させる。乾燥処理された用紙Ｐは、図面上、上側に搬送される。そして、図３の下部に示すように、両面印刷する場合に、用紙Ｐ１はリバース機構３５とローラ対３５１によって所定量送られてから停止して挟持され、所定角度で回転する。用紙Ｐ１は、補助ローラ３５２およびローラ対３５１による搬送作用によって、裏面が印刷されるように印刷部側に搬送される構成である。印刷部では裏面に印刷処理をし、次いで必要に応じて切断処理し、次いで乾燥処理し、搬送下流側の排出部３６に両面印刷された用紙Ｐ２が排出される。排出部３６は、仕分け手段（不図示）を備え、これによって、オーダーごとに仕分け処理が行なわれる。
【００３４】
（プリント注文受付装置）
プリント注文受付装置１は、顧客により操作されるものであり、画像データの受付と注文内容の設定等を行うことができる。プリント注文受付装置１は、それ自身が画像形成プリンタの機能を有していてもよい。例えば、熱昇華型のプリンタを内蔵している。この場合、ネットワークに接続された他の装置と関係なく、独立してプリント処理を行うこともできる。プリント注文受付装置１は、画像形成用のプリンタを内蔵していない場合、あるいは他のプリンタで写真プリント（またはメディアへの書込み処理）をする場合には、ネットワーク経由で画像処理装置４あるいは直接にプリンタ側にプリント対象の画像データを転送する。画像処理装置４については後述する。
【００３５】
プリント注文受付装置１は、メディア駆動部１０を備えており、各種媒体Ａに格納されている画像データを内部に取り込むことができる。媒体Ａとしては、ＣＤ−Ｒ、デジタルカメラ用の記憶メディア、ＭＯディスクなどが例としてあげられる。また、フラットベッドスキャナー（不図示）により、写真フィルムのない写真プリントから画像データを取得することができる。また、画像受付装置１は、モニター１２を備えており、入力した画像データを画面に表示させることができる。また、注文内容の設定などは、モニター画面に設けられたタッチパネル１３により行うことができる。もちろん、キーボードやマウスなどの入力手段を設けてもよい。
【００３６】
プリント注文受付装置１は、受付証発行部１１を備えており、注文内容が確定すると、受付証をプリントアウトする。受付証には、注文内容、課金情報、顧客情報などがプリントされる。この受付証を写真店の担当者に渡すことで、画像記録や料金支払いなどが行われる。
【００３７】
プリント注文受付装置１の構成を図２の機能ブロック図により説明する。プリント注文受付装置１は、コントローラＣを備えており、各種ハードウェアとはインターフェース２０を介して接続される。すなわち、メディア駆動部１０、受付証発行部１１、モニター１２、タッチパネル１３、ハードディスク１４がインターフェース２０を介して接続される。ハードディスク１４は、メディア駆動部１０を介して取得した画像データをその注文に関するデータと共に保存する。ハードディスク１４は、大容量保存部手段としての機能の他にＣＰＵ実行の際の作業領域として機能してもよい。また、コントローラＣ側には不図示のメモリ（メインメモリ、ＲＯＭ等）が具備されている。
【００３８】
インクジェットプリンタ３により写真プリントの作成を行う場合は、適宜のタイミングで画像データおよび注文に関するデータを、ネットワーク・インターフェース１５を介して画像データ等をネットワークへ送出する構成である。
【００３９】
表示制御部２１は、モニター１２に表示させる表示内容を制御する。表示制御部２１は、注文受付処理を顧客が行い易いように、種々の操作に係る表示画面を提供する。操作画面のデータは不図示のメモリに保存されている。操作画面の表示順番は、予め設定されている。
【００４０】
画像選択受付部１０１（画像選択受付手段に相当する）は、アルバムプリント対象の画像を選択する機能である。「アルバム対象の画像」は、表紙および中ページに使用されるコマ画像を含む。モニター１２に表示された複数のコマ画像のうち、アルバムプリント対象の画像を個々に選択したり、全コマを選択できるように構成される。例えば、コマ画像がアルバム対象として未使用の状態で表示され、顧客が自らの判断でアルバム対称のコマ画像を、タッチパネル１３を用いて選択する構成である。
【００４１】
天地調整処理部２６は、アルバムプリント対象の画像の天地方向を調整する機能である。モニター１２に表示された複数のコマ画像のうち、アルバムプリント対象の画像に対して、天地調整を行える。天地調整方法としては、例えば右回りで９０度ごとに回転させてもよく、１８０度回転させるように構成してもよい。また、モニター１２に表示された複数のコマ画像のうち、アルバムプリント対象の画像を選択する前に、天地調整を行い、この天地調整の後にアルバムプリント対象の画像を選択してもよい。この場合には、天地調整されたコマ画像を確認してからアルバムに含ませるかを判断できるため、選択漏れをなくし、また顧客の操作性を向上させることができる。
【００４２】
また、天地調整処理部２６は、コマ画像ごとのＥｘｉｆ情報を取得し、Ｅｘｉｆ情報に含まれるデータから天地方向を判断し、モニター１２に表示させる際に、自動的に天地方向を調整した状態でコマ画像を表示できるように構成される。
【００４３】
以上の画像選択受付部１０１および天地調整処理部２６の機能によって、アルバムプリント対象画像を特定できる。このように特定されて設定されたアルバム画像データのアルバムプリント対象画像は、アルバム表示処理部２７の機能によって、アルバム仕上がり状態として表示させることができる。
【００４４】
アルバム表示処理部２７は、アルバム仕上がり状態として、例えば、製本されたアルバムの状態で表示する構成が例示される。この製本されたアルバムの場合に、表表紙から順に１ページづつ最終ページ（あるいは裏表紙）まで開き、ページ単位あるいは見開きページ単位に、そこに配置されたコマ画像を確認することができる。また、この表表紙から順に１ページづつ開く動作処理を自動で実行させる構成、ページを捲るタイミングを所定時間（１〜数秒）間隔に設定する構成、任意のページで停止させる構成、停止させた動作を再度実行させる構成、当該開く動作処理の自動を解除し、入力指令によって１ページごとに捲るように実行する構成、最終ページ（あるいは裏表紙）から順に１ページづつ表表紙まで開く動作処理に変更する構成等もさらに有することができる。
【００４５】
アルバムサイズ選択受付部２３（アルバムサイズ選択受付手段に相当する）は、アルバムプリント注文可能な状態に設定する場合に、アルバムのサイズを選択する機能である。アルバムサイズは、例えば、製本タイプの仕上がりの場合、横幅８インチ×縦８インチ、横幅８インチ×縦１０インチ、横幅１０インチ×縦８インチ等が例示される。このアルバムサイズによって、１ページに掲載可能な最大画像数（コマ数）、コマサイズが予め設定されている。例えば、第１アルバムサイズ（縦８インチ×横１０インチ）の場合、１ページあたり掲載コマ数は２以内、コマサイズはＥ判かＬ判と設定される。また、アルバムのインデックスページとして、１ページあたり掲載コマ数を８枚以上とし、コマサイズはそれに応じて変動するように設定することもできる。また、見開き２ページに１コマを掲載するように設定することもできる。
【００４６】
テンプレートデザイン選択処理部２４は、アルバムプリント注文可能な状態に設定する場合に、アルバムのテンプレートデザインを選択する機能である。テンプレートデザインは、表紙、中ページとも同じデザインを選択するように構成できるし、表紙と中ページのデザインを異なるように選択するように構成することもできる。また、中ページのデザインをページ単位、あるいは見開きページ単位に設定するように構成できる。
【００４７】
ページ総数種類作成部１０２（ページ総数種類作成手段に相当する）は、アルバムプリントのページ総数の種類を作成する。「ページ総数の種類」は、例えば、選択された画像の総数から、予め設定された条件に基づいて作成することができる。アルバム製本タイプ（片面印刷）の場合には、条件として「表紙ページ＋目次ページ＋裏表紙ページ＋１ページ当たりの掲載画像数」に基づいて、その種類を作成することができる。例えば、選択された画像数が２０枚の場合に、ページの種類としては、例えば、第１に「表紙ページ＋目次ページ＋裏表紙ページ＋２０」、第２に「表紙ページ＋裏表紙ページ＋２０（１ページに１コマ掲載）」、第３に「表紙ページ＋目次ページ＋裏表紙ページ＋１０（１ページに２コマ掲載）」等その他の種類を任意に作成できる。また、ページ総数種類作成部１０２は、アルバムタイプ別あるいはアルバム製本機に応じて、最小ページ数から最大ページ数の範囲に基づき、ページ数を設定する。
【００４８】
費用作成部１０３（費用作成手段に相当する）は、作成されたページ総数の種類に応じた、アルバムプリントの作成費用を作成する。アルバムタイプ別にページ総数に応じた作成費用の料金体系データが予め設定され、不図示のメモリに保存されている。費用作成部１０３は、当該料金体系データに基づき、ページ総数に応じた料金を検索することで、アルバムプリントの作成費用を作成できる。このページ総数の種類と、当該ページ総数の種類に応じた作成費用は、表示手段に表示される。
【００４９】
ページ総数選択受付部１０４（ページ総数選択受付手段に相当する）は、注文者からのページ総数の入力を受け付ける機能である。ページ総数の入力形態は特に制限されず、直接数字が入力される入力形態、画面に表示されている数字を増減させて入力する入力形態、画面に表示されている複数種類のページ総数を選択して入力する入力形態等が例示される。例えば、ページ総数選択受付部１０４は、上記で作成されたページ総数の種類と、当該ページ総数の種類に応じた作成費用とに基づいて、いずれかのページ総数の入力を受け付ける機能を有している。
【００５０】
レイアウト設定部１０５（レイアウト設定手段に相当する）は、画像選択受付部１０１で受け付けられた画像と、ページ総数選択受付部１０４で受け付けられたページ総数に基づいて、それぞれのページ内の画像レイアウトを設定する機能である。また、レイアウト設定部１０５は、アルバムサイズ選択受付部２３で受け付けられたアルバムサイズに応じて予め設定されている１ページに掲載される最大画像数と、ページ総数選択受付部１０４で受け付けられたページ総数に基づいて、それぞれのページ内の画像レイアウトを設定することができる。設定されたレイアウトに基づいて、各ページにコマ画像が配置されることになる。レイアウト設定方法として、例えば、１ページあたりの最大コマ数以内で、予め設定された固定パターンを用いることができる。固定パターンの例としては、１ページに１コマ、２コマあるいは３コマ等、また、偶数ページは１コマ＋奇数ページは２コマ、偶数ページは２コマ、奇数ページは１コマ等、また、１ページ目は１コマ、２ページ目は２コマ、３ページ目は３コマ、４ページ目は２コマ等、多数のパターンが挙げられる。また、乱数に基づいて１ページあたりのコマ数を設定することができる。乱数の発生は所定の乱数発生プログラムを用いることができる。また、固定パターンと乱数に基づく設定を所定のルールで組み合わせて用いることができる。また、アルバムのページ総数は、両面印刷の場合に、偶数になるように設定される。
【００５１】
画像処理部２８は、アルバムプリント注文可能な状態に設定した後に、アルバム画像データ（中ページのコマ画像と表紙のコマ画像を含む）に対する所定の画像処理を実行する機能である。所定の画像処理としては、例えば、特定の画像を選択する処理や、当該選択された画像に対する濃度変更処理、サイズ変更処理、配置変更処理および回転処理等が例示される。また、これら選択された画像に対する各種処理を選択するための手段が具備されている。
【００５２】
画像処理部２８は、さらに、画像データに対して種々の画像処理を行う機能を有する。画像処理の内容としては、例えば、色・濃度の補正、赤目補正、逆光補正、トリミングなどの画像補正があげられる。プリントを作成する場合は、オリジナルの画像データに対して画像処理を行いプリント用画像データが生成される。
【００５３】
表紙編集部２８１は、アルバムプリント注文可能な状態に設定した後に、アルバムの表紙を編集する機能である。表紙の編集としては、例えば、表紙のコマ画像の選択、濃度変更処理、サイズ変更処理、配置変更処理および回転処理等が例示される。表紙編集部２８１の機能は画像処理部２８の機能に包含するように構成してもよい。
【００５４】
部数設定部２９は、アルバムプリント注文可能な状態に設定した後に、プリント部数を設定する機能である。
【００５５】
コントローラＣの各機能は、例えば、コンピュータプログラムとＣＰＵおよびメモリ等の協働作用により実現することができ、このプログラムは、不図示のＲＯＭに記憶されている。また、コントローラＣを専用回路、ファームウエア等で構成してもよく、それらの組み合わせ構成としてもよい。
【００５６】
（画像処理装置）
画像処理装置４は、オーダー単位に画像データを管理する機能を有している。また、オーダー単位に写真プリント処理、メディアへの書込み処理を制御する機能を有している。以下において、画像処理装置４の主要な構成要素の一例について説明するが、これに限定されない。
【００５７】
画像処理装置４は、不図示のオーダー情報保存手段を備え、オーダー情報を保存する機能を有している。また、画像処理装置４は、写真プリント注文に係る画像データやオーダー情報を管理制御するオーダー管理手段を備えている。オーダー管理手段は、プリント処理に関し、プリンタの設定、プリント順序等を設定できる。また、プリント順序に関し、モニターにオーダー情報を表示させ、プリント順序を変更する機能も有する。
【００５８】
オーダー情報保存手段は、後述するプレジャッジ処理されて設定された補正情報、画像データ、オーダー情報等を保存している。また、画像データは、補正情報に基づいて画像処理された後のデータでもよい。
【００５９】
また、画像処理装置４は、各種操作画面としてモニター等の表示手段と、各種の入力用にキーボード、マウス等の入力手段を備える。
【００６０】
（ジャッジ処理）
ジャッジ手段は、画像データに対するプレジャッジ処理を実行する機能を有する。プレジャッジ処理において、所定数のコマ画像をモニターに表示し、コマ画像ごとにプリント条件を設定することができる。例えば、画像データ保存部に保存された、任意の画像データ（オーダー単位の画像データ）を選択し、所定数（例えば、４コマ、６コマ）のコマ画像をモニターに表示し、表示されたコマ画像に対し、プリント枚数、プリントサイズ、画像の補正情報等のプリント条件を設定することができる。プレジャッジ処理は、画像データに基づいて写真プリントを作成する前に、適切な画質の写真プリントが作成されるか否かを判定するものであり、画像データに対する判定をオペレータが行なうための機能を提供し、かかる機能は主としてソフトウェアにより提供される。このプレジャッジ処理は必ず行なわなければならないものではなく、プレジャッジ処理を省略してプリント処理を行うことも可能である。
【００６１】
ジャッジ手段は、例えば、色や濃度を補正するための補正情報を入力する機能を提供するものであり、かかる補正情報の入力は必要に応じて設定される。その他の補正情報の設定としては、赤目補正、逆光補正などの特殊補正の設定が例としてあげられる。
【００６２】
また、プリント枚数の設定としては、フィルムスキャナーから取得した画像データに関してはデフォルトで１が設定されるが、オペレータの入力操作により変更することができる。設定された補正情報は、画像データ、オーダー情報に関連づけられてオーダー情報保存部に保存される。
【００６３】
プリント用画像データ作成手段は、ジャッジ手段で設定されたプリント条件の補正データ、プリントサイズ等の補正情報に基づいて、それに対応する画像データを画像処理し、プリント用画像データ（ＲＧＢ画像データである）を作成する機能を有している。プリント用画像データ作成手段は、コンピュータプログラムと、ＣＰＵ、メモリ等ハードウェア資源との協働作用によって実現する構成や、また、専用回路で構成された画像処理基板での構成が例示される。画像処理基板としては、例えば、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。ここで作成されたプリント用画像データは、プリンタ側に通信手段によって送信される。また、プリント用画像データ作成手段は、アルバム画像データ作成手段によって作成されたアルバム画像データをコマ画像ごとの補正情報に応じて画像処理する機能を有する。
【００６４】
アルバム作成データ保存手段は、アルバムテンプレート情報を保存している。アルバムテンプレート情報は、例えば、アルバムのタイプ、アルバムサイズ、１ページ当たりの画像数、画像の配置（レイアウト）、アルバムデザイン、表紙のデザイン等を有して構成され、プリント注文受付装置１で設定されるアルバムの各種設定情報を少なくとも有して構成されている。
【００６５】
アルバム画像データ作成手段は、画像データとアルバム設定情報に基づいて、アルバム画像データを作成する機能を有している。画像データは、プレジャッジ処理で設定された補正情報に基づく画像処理が施されてもよく、予め設定されている所定の補正（例えば、赤め補正等）が施されてもよい。
【００６６】
プリント注文受付装置１から受信したオーダー情報において、アルバムプリント対象のコマ画像ごとの画像データ（各種の画像処理済み）とアルバム設定情報が含まれている場合、アルバム設定情報中の各種ID情報をキーにアルバム作成データ保存手段に保存されているアルバム設定の各種データが検索される。検索されたアルバム設定データに基づいて、画像データが画像合成処理されて、アルバム画像データが作成される。
【００６７】
また、別実施形態として、プリント注文受付装置１側で、アルバム画像データ作成手段の機能を有している場合には、アルバム画像データ（上述のプリント注文受付装置１で説明したアルバム画像データに相当する）がプリント注文受付装置１側から送信され、オーダー情報保存手段に保存される。この場合、画像処理装置４側でアルバム画像データを作成する処理をしなくてもよいように構成できる。
【００６８】
また、アルバム画像データ作成手段で作成されたアルバム画像またはプリント注文受付装置１側から送信されたアルバム画像データに係るアルバム画像を表示手段で表示し、オペレータによる画像の確認あるいは編集が可能に構成される。
【００６９】
プリント制御手段は、プリント指示を受け付けると、プリント指示されたオーダーの画像データに基づいてプリント用画像データを作成する指令をプリント用画像データ作成手段に行ない、これに応じてプリント用画像データ作成部でプリント用画像データが作成される。
【００７０】
また、アルバムプリント制御手段は、アルバム画像データ作成手段で作成されたアルバム画像データまたはプリント注文受付装置１側から送信されたアルバム画像データをプリントするように制御する機能である。アルバムプリント制御手段は、アルバムプリントの指示を受け付けると、アルバム画像データに基づいてアルバムプリント用画像データを作成する指令をプリント用画像データ作成手段に行ない、これに応じてプリント用画像データ作成手段でアルバムプリント用画像データが作成される。作成されたアルバムプリント用画像データがプリンタ側に送信され、プリンタにおいて、アルバムプリント用画像データに基づく写真プリント処理が実行される。
【００７１】
なお、別実施形態として、プリント注文受付装置１側から直接にプリンタ側にアルバム画像データを送信し、プリンタ側で、アルバムプリント用画像データが作成されてもよい。
【００７２】
（プリント注文受付装置におけるアルバム注文のフロー）
次に、図４のフローチャート、図１０〜２７の注文操作画面を用いて、アルバム注文の手順について説明する。
【００７３】
図１０のような注文操作画面で操作画面の言語の選択を行える。「日本語」の部分をタッチすると、日本語の操作画面モードが選択されて、日本語で次のオーダーメニュー画面が表示される。この操作画面の言語選択は、図５の操作画面の言語データに基づいて設定される。なお、この画面は省略され次の画面から開始されていてもよい。
【００７４】
図１１のオーダーメニューの選択画面で、「アルバム」ボタン１１０１をタッチしてアルバム注文を選択する（ステップＳ１）。次の画面（図１２）で、アルバムプリントの注文操作タイプを選択することができる。複数の注文操作タイプが設定されている場合にこの画面が表示される。ここでは「タイプ４（フォトブック）」ボタン１２０１をタッチし次の画面に移行させる。なお、この画面は省略され、図１１から図１３の画面に移行するように構成できる。タイプ４（フォトブック）の注文操作手順は、本発明の目的達成のために、注文操作を簡単にしてアルバムの商品性を維持しつつ、注文操作占有時間を短縮させるために構成されている。
【００７５】
図１３の画面で、メディアの種類を選択してあるいは選択せずに、顧客のメディアＡを、プリント注文受付装置１のメディア駆動部１０に挿入する。メディアの種類を選択しない場合は自動的にメディアの種類が判定され、それに対応するメディア駆動部１０が起動する。メディアＡから画像データが読み込まれる（ステップＳ２）。
【００７６】
メディアＡに複数のフォルダが作成されている場合がある。また、メディアＡから必要な画像を選択して読み込ませたい要望がある。このような場合に、図１４の画面において、メディアＡに作成されたフォルダ単位に読み込ませる構成と、撮影の日付けごとに読み込ませる構成と、全コマ画像を読み込ませる構成を選択することができる。例えば、「フォルダごとに分類」をタッチすると、図１５の画面に移行する。この画面では、画像データがフォルダごとに分類されて表示され、選択に際し、複数のフォルダを選択できる。また、フォルダ内のコマ画像をレビューさせて確認することができる。
【００７７】
また、画像データを読み込ませる場合に、画像データそのものではなく、コマ画像のサムネイル画像データが読み込まれることが好ましい。サムネイル画像データが含まれていない場合には、画像データが読み込まれ、オリジナル画像からサムネイル画像が生成されてもよい。このサムネイル画像は表示のために用いられる。また、画像データあるいはサムネイル画像データには、画像ＩＤが含まれる。また、画像データにはＥｘｉｆ情報が含まれていることが好ましい。
【００７８】
次いで、画像データの読み込みが成功すると、図１６の画面に移行する。この画面で、中ページに使用する画像の選択、天地調整に移行する（ステップＳ３）。図１６の画面において、コマ画像を個々に選択できる。一括して全画像を選択することもできる。また、天地調整のためにコマ画像を回転させることができる。表示コマ数の切り替えや、現時点を基準に古い撮影日順にあるいは新しい撮影日順に表示を切り替えることができる。画像の選択が終了したら、「ＯＫ」ボタンをタッチして図１７の画像に移行する。
【００７９】
図１７の画面において、アルバムのサイズを選択する（ステップＳ４）。この写真店で提供可能なアルバムのサイズが、モニター１２に表示される。アルバムのサイズは、アルバムサイズデータ（図７）やアルバムテンプレートデータ（図６）に予め設定されており、操作画面の設定時に適宜設定、変更することができる。選択後「ＯＫ」ボタンをタッチして、図１８の画面に移行する。この画面で、アルバムのデザインを選択できる。提供可能なアルバムのデザインを設定できる。デザイン一覧から所望のデザインをタッチして、レビュー表示させることができる。アルバムデザインは、アルバムデザインデータ（図９）やアルバムテンプレートデータ（図６）に予め設定され、不図示のメモリに保存されている。また、これらのデータは、操作画面の設定時に適宜設定、変更することができる。選択後「ＯＫ」ボタンをタッチして、図１９の画面に移行する。なお、アルバムデザインの選択は、省略でき、初期値のアルバムデザインを使用する構成であってもよい。
【００８０】
次いで、図１９の画面操作で、ページ総数を選択する（ステップＳ６）。図１９の画面において、欄１９０１には、ページ総数の種類として、ページ総数、ページの内訳（表紙、目次、中ページ、裏表紙等の枚数）、料金等のデータが表示される（ステップＳ５）。また、画面上部の欄において、最低のページ総数が表示される。これらのページ総数の種類は、上述のページ総数種類作成部１０２の機能によって作成される（ステップＳ５）。「ページ総数・・枚」ボタンをタッチし、画面右下の「ＯＫ」ボタンをタッチすることで、ページ総数が選択される。あるいは、画面欄１９０２において、ページ総数を自由に入力することができる。ページ総数は上下ボタン１９０３をタッチして、初期値の「２０」を変更できる。予め設定されているページ数範囲内（例えば、最小ページ数２０枚から最大ページ数の５０枚）で変動できる。表紙・裏表紙の有無はチェックボックス１９０４をタッチすることで選択でき、現在「黒」なのでチェックされていることを示す。また、目次も同様にチェックボックス１９０５で選択できる。ページ総数に応じて、料金欄１９０６の料金が自動的に作成されて表示が切り換わる（ステップＳ５）。ここでのページ数を選択する場合は、「選択」ボタン１９０７をタッチし、画面右下の「ＯＫ」ボタンをタッチすることで、ページ総数が選択される。選択されたページ総数とステップＳ３で選択されたコマ画像の総数に応じて、レイアウトが設定される（ステップＳ７）。
【００８１】
なお、別実施形態として、ステップＳ５、Ｓ６において、ページ総数の種類やその料金のデータを作成し、表示する処理を省略でき、注文者が、任意にページ総数を入力するように構成できる。注文者は、例えば、受付装置に並置された価格表を参照して、ページ総数を入力することができ、注文にかかる費用を予め計算しながら注文を行える。
【００８２】
次いで、図２０の画面において、表紙画像の選択、天地調整を行なえる（ステップＳ８）。図２０の画面において、表紙に含ませるコマ画像を選択することができる。また、天地調整のためにコマ画像を回転させることができる。表示コマ数の切り替えや、現時点を基準に古い撮影日順にあるいは新しい撮影日順に表示を切り替えることができる。なお、ステップＳ６を省略し、任意に選択されたコマ画像（例えば、１コマ目、ランダムに選択されたコマ画像等）を使用する構成であってもよい。次いで、「ＯＫ」ボタンを選択することで図２１に示すように、画像データの読み込みが開始される（ステップＳ９）。なお、すでにオリジナルの画像データが読み込まれている場合には、この処理は省略される。
【００８３】
アルバム対象として特定され、天地調整されたコマ画像は、ステップＳ７で設定されたレイアウトに従ってアルバム画像データを構成する。このデータに基づいて、次の図２２の画面では、アルバム表示状態でコマ画像を確認することができる（ステップＳ１０）。図２２の画面中、２３０１は、製本タイプのアルバムの外観を示している。実際には、タイトル欄にタイトルが示され、表紙画像欄には選択されたコマ画像が示される。図２３に示すように、製本アルバム２４０１は、自動的に、表表紙から順に１ページづつ最終ページまで開き、ページ単位あるいは見開きページ単位に、そこに配置されたコマ画像を確認することができる。ページを捲るタイミングは予め設定されている。また、「停止」ボタン２４０２をタッチすることで任意のページで停止させることができ、停止させた動作を、「停止」ボタン２４０２を再度タッチさせて自動捲りを再開するように構成できる。また、「停止」ボタン２４０２をタッチすることで当該開く動作処理の自動を解除し、「矢印」ボタン２４０３、２４０４の入力指令によって１ページごとに捲るように実行する構成もできる。
【００８４】
また、部数欄２３０２において、アルバム部数を設定することができる（ステップＳ１１、Ｓ１２）。初期値として「１部」が設定されている。
【００８５】
また、「表紙編集」ボタン２３０３をタッチすることで、図２４の画面に移行し、表紙の編集をすることができる（ステップＳ１３、１４）。図２４の画面において、表紙画像欄２５０１のなかに、選択されたコマ画像２５０２が示されている。候補のコマ画像は、２５０３の欄に示され、任意のコマ画像をタッチして「画像確定」ボタン２５０４をタッチすることで、表紙の画像を置き換えることができる。また、コマ画像２５０２は、表紙画像欄２５０１内を移動することができ、それを右欄２５０５の移動ボタンをタッチして指示できる。また、コマ画像を回転させたり、拡大・縮小させたりできる。また、「タイトル編集」ボタンをタッチすることで、図２５の画面に移行し、メインタイトル２６０１、サブタイトル、背表紙を編集できる。編集欄２６０２において、編集したい欄をタッチさせ、不図示の文字キーを画面に表示させてキータッチして文字を編集する構成である。
【００８６】
また、「中ページ編集」ボタン２３０４をタッチすることで、図２６の画面に移行し、中ページの画像を編集することができる（ステップＳ１５、１６）。図２６の画面において、ページ画像欄２７０１のなかに、選択されたコマ画像２７０２が示されている。候補のコマ画像は、２７０３の欄に示され、任意のコマ画像をタッチして「画像確定」ボタン２７０４をタッチすることで、コマ画像を置き換えることができる。また、コマ画像２７０２は、ページ画像欄２７０１内を移動することができ、それを右欄２７０５の移動ボタンをタッチして指示できる。また、コマ画像を回転させたり、拡大・縮小させたりできる。また、コマ画像ごとに濃度補正を設定したり、赤目補正、逆光補正の設定もできる。
【００８７】
図２３に戻り、アルバム表示状態（コマ画像の確認を含む）、部数、表紙編集、中ページ編集をすべて確認後、それを確定するために、「プリント画像確定」ボタン２４０５をタッチする。これによって、アルバムプリント対象の画像およびアルバムの仕様が確定する。なお、部数設定、表紙編集、中ページ編集は必須操作ではなく省略することができる。
【００８８】
次いで、図２７に示す画面で、注文に係る料金を表示されることができる。なお、注文者の氏名や連絡先等を入力するための文字キー、数字キーが表示され、入力操作を受け付けてもよい。「注文確定」ボタン２８０１をタッチすることで注文内容が確定する（ステップＳ１７）。
【００８９】
注文内容が確定すると、オーダー情報として、アルバムプリント対象の画像データとアルバム設定情報が共に、画像処理装置４に送信される。画像処理装置４は、上述したように、画像データとアルバム設定情報から、アルバム画像データを作成する。そして、オーダーの順番に従ってアルバムプリントの指示を受け付けると、アルバム画像データに基づいてアルバムプリント用画像データが作成される。作成されたアルバムプリント用画像データがインクジェットプリンタ３に送信され、インクジェットプリンタ３によって、アルバムの表紙、中ページの両面あるいは片面プリント処理が実行される。また、別実施形態として、プリント注文受付装置１において、アルバムプリント対象の画像データとアルバム設定情報からアルバム画像データを作成し、このアルバム画像データを画像処理装置４に送信するように構成できる。また、アルバム画像データからアルバムプリンタ用画像データを作成せずに、アルバム画像データに基づいてプリンタで印刷できるように構成できる。
【００９０】
（実施形態２）
本発明のプリント注文受付装置１の上述の機能要素を、画像処理装置４に具備させることもできる。この場合、写真店のオペレータが顧客に代わって操作することができる。
【００９１】
（実施形態３）
本発明のプリント注文受付装置１の機能要素は、ソフトウェアとハードウェア（ＣＰＵ（ＭＰＵを含む概念）、メモリ等）の協働作用によって実現でき、専用回路あるいはファームウエア等で、またはそれらの組み合わせで実現することもできる。
【００９２】
ソフトウェアで実現する場合、そのプログラムは以下のようになる。このプログラムは、記録媒体に記録され、記録媒体に保存された形態として提供可能であり、また、通信回線を介して提供（ダウンロード提供）されてもよい。通信回線を介して提供される場合、その一部の機能のみが提供されてもよく、他の一部がサーバ装置に残っていてもよく、全体の機能として本発明の機能が発揮されていれば本発明の技術的範囲に含まれる。
【００９３】
顧客のアルバムプリント注文操作に用いられるアルバムプリント注文受付プログラムであって、
アルバムプリント対象の画像の選択を受け付ける画像選択受付ステップと、
ページ総数の入力を受け付けるページ総数選択受付ステップと、
前記画像選択受付ステップで受け付けられた画像と、前記ページ総数選択受付ステップで受け付けられたページ総数に基づいて、それぞれのページ内の画像レイアウトを設定するレイアウト設定ステップと、をコンピュータに実行させるためのアルバムプリント注文受付プログラムである。
【００９４】
また、上記のプログラムにおいて、
アルバムプリントのページ総数の種類を作成するページ総数種類作成ステップと、
前記作成されたページ総数の種類に応じた、アルバムプリントの作成費用を作成する費用作成ステップと、
前記作成されたページ総数の種類と、当該ページ総数の種類に応じた作成費用を表示手段に表示するステップと、をさらにコンピュータに実行させ、
前記ページ総数選択受付ステップにおいて、表示手段に表示された、前記作成されたページ総数の種類と、当該ページ総数の種類に応じた作成費用とに基づいて、いずれかのページ総数の選択を受け付けるように、コンピュータに実行させることを特徴とする。
【００９５】
また、上記のプログラムにおいて、前記画像選択受付ステップによる処理の後で、アルバムサイズの選択を受け付けるアルバムサイズ選択受付ステップを、さらにコンピュータに実行させ、
前記レイアウト設定ステップにおいて、前記アルバムサイズ選択受付ステップで受け付けられたアルバムサイズに応じて予め設定されている１ページに掲載される最大画像数と、前記ページ総数選択受付ステップで受け付けられたページ総数に基づいて、それぞれのページ内の画像レイアウトを設定するように、コンピュータに実行させることを特徴とする。
【００９６】
また、上記のプログラムにおいて、前記ページ総数種類作成ステップにおいて、前記画像選択受付ステップで受け付けられた画像に基づいて、当該画像の総数以上のアルバムプリント可能なページ総数の種類を作成するように、コンピュータに実行させ、
前記表示手段に表示されたアルバムプリント可能なページ総数の種類が、アルバム作成可能な最低ページ数以上の種類と、前記ページ総数種類作成ステップで作成された前記画像の総数以上の種類を、少なくとも含むことを特徴とする。
【００９７】
上述のプログラムは、画像処理装置４あるいはサーバ装置（不図示）に保存され、ネットワーク（インターネット接続を含む）を介して接続された注文者ＰＣ（携帯型コンピュータ、汎用パソコン、ワークステーション等を含む）の要求に応じてダウンロード可能に構成される。ダウンロードされたプログラムは、注文者ＰＣにインストールされ実行可能に構成される。この場合、注文者は、自宅のパソコン上からアルバムプリント注文を簡単に行える。
【００９８】
（別実施形態）
インクジェットプリンタ３のインクジェット方式は、シリアル走査型のプリントヘッドを用いた方式に限らず、ライン走査型のプリントヘッドを用いたインクジェット方式でもよい。
【図面の簡単な説明】
【００９９】
【図１】写真処理システムの一例について説明するための図
【図２】プリント受付注文装置の機能構成について説明するための図
【図３】インクジェットプリンタの主要構成について説明するための図
【図４】プリント受付注文装置のアルバムプリント注文操作のフローチャート
【図５】操作画面の言語データの一例を示す図
【図６】アルバムテンプレートデータの一例を示す図
【図７】アルバムのサイズデータの一例を示す図
【図８】アルバムのレイアウトデータの一例を示す図
【図９】アルバムのテンプレートデザインの一例を示す図
【図１０】注文操作画面の一例について説明するための図
【図１１】注文操作画面の一例について説明するための図
【図１２】注文操作画面の一例について説明するための図
【図１３】注文操作画面の一例について説明するための図
【図１４】注文操作画面の一例について説明するための図
【図１５】注文操作画面の一例について説明するための図
【図１６】注文操作画面の一例について説明するための図
【図１７】注文操作画面の一例について説明するための図
【図１８】注文操作画面の一例について説明するための図
【図１９】注文操作画面の一例について説明するための図
【図２０】注文操作画面の一例について説明するための図
【図２１】注文操作画面の一例について説明するための図
【図２２】注文操作画面の一例について説明するための図
【図２３】注文操作画面の一例について説明するための図
【図２４】注文操作画面の一例について説明するための図
【図２５】注文操作画面の一例について説明するための図
【図２６】注文操作画面の一例について説明するための図
【図２７】注文操作画面の一例について説明するための図
【符号の説明】
【０１００】
１      プリント注文受付装置
２１    表示制御部
２３    アルバムサイズ選択受付部
２４    テンプレートデザイン選択処理部
２６    天地調整処理部
２７    アルバム表示処理部
２８    画像処理部
２９    部数設定部
２８１  表紙編集部
１０１  画像選択受付部
１０２  ページ総数種類作成部
１０３  費用作成部
１０４  ページ総数選択受付部
１０５  レイアウト設定部
【図１】
2010108165.tif 000003
【図２】
2010108165.tif 000004
【図３】
2010108165.tif 000005
【図４】
2010108165.tif 000006
【図５】
2010108165.tif 000007
【図６】
2010108165.tif 000008
【図７】
2010108165.tif 000009
【図８】
2010108165.tif 000010
【図９】
2010108165.tif 000011
【図１０】
2010108165.tif 000012
【図１１】
2010108165.tif 000013
【図１２】
2010108165.tif 000014
【図１３】
2010108165.tif 000015
【図１４】
2010108165.tif 000016
【図１５】
2010108165.tif 000017
【図１６】
2010108165.tif 000018
【図１７】
2010108165.tif 000019
【図１８】
2010108165.tif 000020
【図１９】
2010108165.tif 000021
【図２０】
2010108165.tif 000022
【図２１】
2010108165.tif 000023
【図２２】
2010108165.tif 000024
【図２３】
2010108165.tif 000025
【図２４】
2010108165.tif 000026
【図２５】
2010108165.tif 000027
【図２６】
2010108165.tif 000028
【図２７】
2010108165.tif 000029